(57)【要約】【解決手段】  カメラ付き携帯電話機Ｂのカメラレンズｂの形状と大きさに合わせて、円板状とした薄い積層体である。繊維製基材１の表面にシリコーンからなる弾力性を有する層２が備えられている。前記基材１と弾力性を有する層２の中央付近に孔３を有し、この孔３を除く基材１の裏面に粘着剤層４が備えられている。弾力性を有する層２中には、蓄光材料が含まれている。さらに、前記粘着剤層４の裏面には離型紙５が備えられている。【効果】  携帯電話機Ｂのカメラレンズｂの表面を保護することができる。カメラレンズｂの表面に極めて簡単に貼着することができる。カメラレンズｂを保護するのに適している。暗闇での携帯電話機Ｂの確認を容易に行うことができる。離型紙５を備えているので、レンズカバーＡの保存その他の面で有利であり、粘着剤層４の寿命を長く維持できる。【選択図】  図１
2005275074.tif 000002
【特許請求の範囲】
【請求項１】
カメラ付き携帯電話機Ｂのカメラレンズｂの表面に貼着されるものであって、繊維製基材１の表面に弾力性を有する層２を備え、前記基材１と弾力性を有する層２の中央付近に孔３を有し、この孔３を除く基材１の裏面に粘着剤層４を備えていることを特徴とするカメラ付き携帯電話機用レンズカバー。
【請求項２】
繊維製基材１が超極細繊維を主原料とする弾力性を有するもので作られていることを特徴とする請求項１記載のカメラ付き携帯電話機用レンズカバー。
【請求項３】
弾力性を有する層２中に、蓄光材料が含まれていることを特徴とする請求項１記載のカメラ付き携帯電話機用レンズカバー。
【請求項４】
粘着剤層４の裏面に、離型紙５を備えたことを特徴とする請求項１記載のカメラ付き携帯電話機用レンズカバー。
【発明の詳細な説明】
【技術分野】
【０００１】
本発明は、デジタルスチルカメラを内蔵したカメラ付き携帯電話機のカメラレンズを保護するためのカバーに関するものである。
【背景技術】
【０００２】
近年、小型カメラを搭載し、デジタルスチルカメラとしても使用し得る携帯電話機が開発され、爆発的なシェアを誇っている。
【０００３】
カメラ機能を備えたこの種の携帯電話機にあっては、カメラモードでカメラを使用する、しないにかかわらず、カメラレンズが本体の表面に常に露出した状態となっている。従って、カメラレンズの表面にほこりや汚れが付きやすく、さらには、カメラレンズ表面が傷付きやすいという欠点を有している。
【０００４】
このような欠点を解消するために、携帯電話機本体に対して移動可能、あるいは、携帯電話機本体に着脱自在であって、カメラレンズの前面を覆い得る形式のレンズカバーが開発されている（例えば、特許文献１、２参照）。
【特許文献１】特開２００１−３０９００３号公報
【特許文献２】特開２００４−  ７２４３６号公報
【発明の開示】
【発明が解決しようとする課題】
【０００５】
このような形式のレンズカバーは、携帯電話機本体に対して移動可能、あるいは、携帯電話機本体に着脱自在でなければならないため、構造的に大掛かりとならざるを得ず、しかも、カメラレンズの前面を覆い隠すための部品を携帯電話機の本体に取り付けたままでは、それが嵩張る等の欠点を有している。
【０００６】
本発明は、このように大掛かりなレンズカバーではなくて、極めて簡単な形式のものであり、しかも、極めて簡単にカメラレンズに装着し得るものを提供することを目的とするものである。
【課題を解決するための手段】
【０００７】
この目的を達成するため、本発明では、カメラ付き携帯電話機Ｂのカメラレンズｂの表面に貼着される形式のものとしてあり、しかも、繊維製基材１の表面に弾力性を有する層２を備え、前記基材１と弾力性を有する層２の中央付近に孔３を有し、この孔３を除く基材１の裏面に粘着剤層４を備えたものとしてある。
【０００８】
本レンズカバーＡは携帯電話機Ｂのカメラレンズｂの表面に貼着され、その表面を保護することができる。基材１の裏面に備えられている粘着剤層４を携帯電話機Ｂのカメラレンズｂの表面に重ね合わせるだけで、本レンズカバーＡをカメラレンズｂの表面に極めて簡単に貼着することができる。
【０００９】
繊維製基材１が超極細繊維を主原料とする弾力性を有するもので作られていることが好ましい。このような性能を備えている繊維製基材を用いた場合には、それ自体にも弾力があるため、カメラレンズｂを保護するのに適している。
【００１０】
弾力性を有する層２中に、蓄光材料が含まれていることが好ましい。蓄光材料とは、太陽光、蛍光灯その他の光を吸収・蓄積し、暗所でこれを除々に放出して発光する性質を有する材料のことをいい、これが弾力性を有する層２中に含まれていることにより、携帯電話機Ｂのカメラレンズｂの表面に貼着されているレンズカバーＡが暗闇で発光するので、暗闇での携帯電話機Ｂの確認を容易に行うことができる。
【００１１】
粘着剤層４の裏面に、離型紙５を備えておくことが好ましい。携帯電話機Ｂのカメラレンズｂの表面に本レンズカバーＡを貼着する際、この離型紙５を剥がせばよい。離型紙５を剥がさなければ、粘着剤層４が現れ出ないので、レンズカバーＡの保存その他の面で有利であり、また、粘着剤層４の寿命を長く維持できる。
【発明の効果】
【００１２】
請求項１記載のレンズカバーを用いれば、携帯電話機Ｂのカメラレンズｂの表面を保護することができる。繊維製基材１の裏面に備えられている粘着剤層４を携帯電話機Ｂのカメラレンズｂの表面に重ね合わせるだけで、カメラレンズｂの表面に極めて簡単に貼着することができる。
【００１３】
請求項２記載のレンズカバーを用いれば、繊維製基材１自体にも弾力があるため、カメラレンズｂを保護するのに適している。
【００１４】
請求項３記載のレンズカバーを用いれば、暗闇での携帯電話機Ｂの確認を容易に行うことができる。
【００１５】
請求項４記載のレンズカバーを用いれば、離型紙５を剥がすだけで携帯電話機Ｂのカメラレンズｂの表面にレンズカバーＡを極めて簡単に貼着することができる。離型紙５を備えているので、レンズカバーＡの保存その他の面で有利であり、また、粘着剤層４の寿命を長く維持できる。
【発明を実施するための最良の形態】
【００１６】
本レンズカバーの好ましい実施の形態を、図面に基づいて詳細に説明する。
本レンズカバーＡは、カメラ付き携帯電話機Ｂのカメラレンズｂの表面に貼着できるものである。図面には、二つに折り畳める形式の携帯電話機に本発明を適用した場合を例示するが、一体型の形式の携帯電話機にも適用できることはいうまでもない。
【００１７】
本レンズカバーＡはカメラ付き携帯電話機Ｂのカメラレンズｂの形状と大きさに合わせて直径１０ｍｍ、厚み２ｍｍ程度の円板状とした積層体であって、繊維製基材１の表面にシリコーンからなる弾力性を有する層２が備えられている。そして、前記基材１と弾力性を有する層２の中央付近に孔３を有し、この孔３を除く基材１の裏面に粘着剤層４を備えたものとしてあり、さらに、この粘着剤層４の裏面には離型紙５が備えられている。
【００１８】
前記離型紙５を剥がせば、粘着剤層４が露出するので、携帯電話機Ｂのカメラレンズｂの表面にレンズカバーＡを極めて簡単に貼着することができる。離型紙５を備えているので、レンズカバーＡの保存その他の面で有利であり、また、粘着剤層４の寿命を長く維持できる。なお、ここには、前記離型紙５の中央付近にも前記孔３に連通する孔を形成した場合を例示するが、この孔は無くてもよい。
【００１９】
前記孔３は、携帯電話機Ｂのカメラレンズｂの表面に本レンズカバーＡを貼着した場合において、カメラレンズｂの焦点を含む中心付近を少なくとも露出させるためのものであり、本レンズカバーＡがカメラレンズｂの表面に貼着されていても、カメラモードでのカメラ撮影が可能である。
【００２０】
前記繊維製基材１は、超極細繊維を主原料とする弾力性を有するもので作られている。例えば、ポリエステル製の超極細繊維を短くカットし、薄手の生地の表面に紙をすくように不織布層を形成し、前記超極細繊維と薄手の生地ならびに超極細繊維同士を互いに絡み合わせ、その隙間にポリウレタンを含浸させることにより作ることができる。
【００２１】
このようにして作られた繊維製基材１は弾力性を有しており、それ自体にも弾力があるため、カメラレンズｂに貼着してその表面を保護するのに適している。なお、繊維製基材１は上に例示したもののみに限定されるものではなく、弾力性を有するものであれば他の方法により製造されたものであってもよい。弾力性を有する層２との接合性も考慮して材質等を適宜選択すればよい。
【００２２】
弾力性を有する層２中には、蓄光材料が含まれている。蓄光材料とは、太陽光、蛍光灯その他の光を吸収・蓄積し、暗所でこれを除々に放出して発光する性質を有する材料のことをいい、これが弾力性を有する層２中に含まれていることにより、携帯電話機Ｂのカメラレンズｂの表面に貼着されているレンズカバーＡが暗闇で発光するので、暗闇での携帯電話機Ｂの確認を容易に行うことができる。なお、前記蓄光材料はパウダータイプ、マスターバッチタイプのいずれかの形にして弾力性を有する材料に練り込むことが可能である。
【００２３】
繊維製基材１と弾力性を有する層２は別個に作製しておいて、両者を互いに接合させてもよいし、弾力性を有する層２を形成するに際して弾力性を有する材料を繊維製基材１上に射出成形する方式を採ってもよい。なお、円板状のレンズカバーＡの外周面は、図１(b)に示すように、垂直状態にしないで、上半分を上に行くに従い徐々に小さくなるように、また、下半分を下に行くに従い徐々に小さくなるように、いずれも傾斜させておくと、携帯電話機Ｂ本体のカメラレンズｂの外方を囲む孔内に本レンズカバーＡを貼着しやすい。
【００２４】
ここに、弾力性を有する層２とは、シリコーン樹脂に代表されるように、少なくとも弾力性を有する素材からなるものをいう。シリコーン樹脂の場合には、繊維製基材１との接合性が極めて良好で、しかも、蓄光材料を含んだ層２を形成するのにも都合がよいので、この素材とするのが極めて有利である。ただし、このシリコーン樹脂のみに限定されるものではなく、例えば、塩化ビニル樹脂、ウレタン樹脂、エポキシ樹脂、ゴム、エラストマーなどを挙げることができ、これらの素材でも弾力性を有する層２を形成することができる。
【産業上の利用可能性】
【００２５】
本発明は、少なくとも携帯電話機をカメラモードにすることによってカメラ撮影が可能なカメラ付き携帯電話機に全て適用することが可能であり、メール機能、インターネット機能、その他の様々な機能を有しているか否かについては無関係である。すなわち、携帯電話機Ｂのカメラモードを選択してカメラレンズｂを被写体に向けると、被写体の画像が本体内の撮像素子の受光面に結像され、光電変換によって得られた画像情報が信号処理されて表示部（図示しない）に写し出され、その画像を見ながらシャッターボタン（図示しない）を押すと、携帯電話機Ｂに内蔵されるメモリに画像データを記録することができる機能を有する携帯電話機に全て適用することが可能である。
【図面の簡単な説明】
【００２６】
【図１】本レンズカバーの一例を示す図で、(a)はその概要と本レンズカバーを貼着する携帯電話機とを示す概略図、(b)は本レンズカバーの一例を示す拡大断面図、(c)は本レンズカバーを携帯電話機のカメラレンズに貼着した状態を示す概略図である。
【符号の説明】
【００２７】
１…繊維製基材、２…弾力性を有する層、３…孔、４…粘着剤層、５…離型紙、Ａ…レンズカバー、Ｂ…携帯電話機、ｂ…カメラレンズ。
【図１】
2005275074.tif 000003